【手続補正書】
【提出日】平成16年5月11日(2004.5.11)
【手続補正１】
【補正対象書類名】明細書
【補正対象項目名】特許請求の範囲
【補正方法】変更
【補正の内容】
【特許請求の範囲】
【請求項１】
ほぼ平行六面体の形状であって絶縁材料で形成されたメインボディーと、上記メインボディーの前面に互いに離間配置された第１対の電極と、上記メインボディーの両側面に互いに離間配置された第２対の電極と、上記メインボディーの前面に設けられた表示部と、上記メインボディーの前面に設けられた操作部と、を備えたことを特徴とする携帯型生体電気インピーダンス測定装置。
【請求項２】
上記携帯型生体電気インピーダンス測定装置は、体脂肪率を測定するものである請求項１に記載の携帯型生体電気インピーダンス測定装置。
【請求項３】
上記メインボディーに反射型光電検出手段を更に含む請求項１又は２に記載の携帯型生体電気インピーダンス測定装置。
【請求項４】
上記携帯型生体電気インピーダンス測定装置は、血圧を測定するものである請求項１又は３に記載の携帯型生体電気インピーダンス測定装置。
【請求項５】
上記携帯型生体電気インピーダンス測定装置は、脈拍数を測定するものである請求項１又は３に記載の携帯型生体電気インピーダンス測定装置。
【請求項６】
メインボディーと、上記メインボディーの前面に設けられた第１対の電極と、上記メインボディーの前面とは逆の湾曲した背面に設けられた第２対の電極と、上記前面に設けられた操作部と、を備えたことを特徴とする携帯型生体電気インピーダンス測定装置。
【請求項７】
上記メインボディーは、ほぼ円筒又は楕円円筒の形状にされる請求項６に記載の携帯型生体電気インピーダンス測定装置。
【請求項８】
上記メインボディーは、絶縁材料より成る請求項６又は７に記載の携帯型生体電気インピーダンス測定装置。
【請求項９】
上記第１及び第２対の電極の各々は互いに離間される請求項６ないし８に記載の携帯型生体電気インピーダンス測定装置。
【請求項１０】
上記第２対の電極は、ユーザが片方の手で装置を保持するときにその第２対の両電極がユーザの手のひらに同時に接触し得るように配置される請求項６ないし９に記載の携帯型生体電気インピーダンス測定装置。
【請求項１１】
上記メインボディーの前面に表示部を更に備えた請求項６ないし１０に記載の携帯型生体電気インピーダンス測定装置。
【請求項１２】
上記操作部は、複数の電気スイッチを含む請求項６ないし１１に記載の携帯型生体電気インピーダンス測定装置。
【請求項１３】
上記電極からの信号に基づいて体脂肪率又は脈拍数を計算するためのプロセッサを更に備えた請求項６ないし１２に記載の携帯型生体電気インピーダンス測定装置。
【請求項１４】
上記メインボディーの前面に反射型光電検出器を更に備えた請求項６ないし１３に記載の携帯型生体電気インピーダンス測定装置。
【請求項１５】
上記電極及び光電検出器からの信号に基づいて血圧を計算するためのプロセッサを更に備えた請求項１４に記載の携帯型生体電気インピーダンス測定装置。
【請求項１６】
上記光電検出器からの信号に基づいて脈拍数を計算するためのプロセッサを更に備えた請求項１４又は１５に記載の携帯型生体電気インピーダンス測定装置。
【請求項１７】
メインボディーと、上記メインボディーの前面に設けられた第１対の電極と、上記メインボディーの両側面に設けられた第２対の電極と、上記前面に設けられた操作部と、を備えたことを特徴とする携帯型生体電気インピーダンス測定装置。
【請求項１８】
上記第２対の電極が設けられるメインボディーの両側面は湾曲している請求項１７に記載の携帯型生体電気インピーダンス測定装置。
【請求項１９】
上記メインボディーは、ほぼ平行六面体、円筒又は楕円円筒の形状にされる請求項１７又は１８に記載の携帯型生体電気インピーダンス測定装置。
【請求項２０】
上記メインボディーは、絶縁材料より成る請求項１７ないし１９に記載の携帯型生体電気インピーダンス測定装置。
【請求項２１】
上記第１及び第２対の電極の各々は互いに離間される請求項１７ないし２０に記載の携帯型生体電気インピーダンス測定装置。
【請求項２２】
上記第２対の電極は、ユーザが片方の手で装置を保持するときにその第２対の両電極がユーザの手のひらに同時に接触し得るように配置される請求項１７ないし２１に記載の携帯型生体電気インピーダンス測定装置。
【請求項２３】
上記第２対の電極の各々はメインボディーの前面へと延びる請求項１７ないし２２に記載の携帯型生体電気インピーダンス測定装置。
【請求項２４】
上記第２対の電極の各々はメインボディーの前面とは逆の背面へと延びる請求項１７ないし２２に記載の携帯型生体電気インピーダンス測定装置。
【請求項２５】
メインボディーの前面に表示部を更に備えた請求項１７ないし２４に記載の携帯型生体電気インピーダンス測定装置。
【請求項２６】
上記操作部は、複数の電気スイッチを含む請求項１７ないし２４に記載の携帯型生体電気インピーダンス測定装置。
【請求項２７】
上記電極からの信号に基づいて体脂肪率又は脈拍数を計算するためのプロセッサを更に備えた請求項１７ないし２６に記載の携帯型生体電気インピーダンス測定装置。
【請求項２８】
上記メインボディーの前面に反射型光電検出器を更に備えた請求項１７ないし２７に記載の携帯型生体電気インピーダンス測定装置。
【請求項２９】
上記電極及び光電検出器からの信号に基づいて血圧を計算するためのプロセッサを更に備えた請求項２８に記載の携帯型生体電気インピーダンス測定装置。
【請求項３０】
上記光電検出器からの信号に基づいて脈拍数を計算するためのプロセッサを更に備えた請求項２８又は２９２９に記載の携帯型生体電気インピーダンス測定装置。
【請求項３１】
メインボディーと、上記メインボディーの一対の湾曲した両側面に設けられた２対の電極と、上記メインボディーの前面に設けられた操作部と、を備えたことを特徴とする携帯型生体電気インピーダンス測定装置。
【請求項３２】
上記メインボディーは、ほぼ円筒又は楕円円筒の形状にされる請求項３１に記載の携帯型生体電気インピーダンス測定装置。
【請求項３３】
上記メインボディーは、絶縁材料より成る請求項３１又は３２に記載の携帯型生体電気インピーダンス測定装置。
【請求項３４】
上記２対の電極の各々は互いに離間される請求項３１ないし３３に記載の携帯型生体電気インピーダンス測定装置。
【請求項３５】
上記電極対は、ユーザが片方の手で装置を保持するときにその全ての電極がユーザの手のひらに同時に接触し得るように配置される請求項３１ないし３４に記載の携帯型生体電気インピーダンス測定装置。
【請求項３６】
上記電極対の各電極は、メインボディーの前面へと延びる請求項３１ないし３５に記載の携帯型生体電気インピーダンス測定装置。
【請求項３７】
上記電極対の各電極は、メインボディーの前面とは逆の背面へと延びる請求項３１ないし３５に記載の携帯型生体電気インピーダンス測定装置。
【請求項３８】
メインボディーの前面に表示部を更に備えた請求項３１ないし３７に記載の携帯型生体電気インピーダンス測定装置。
【請求項３９】
上記操作部は、複数の電気スイッチを含む請求項３１ないし３８に記載の携帯型生体電気インピーダンス測定装置。
【請求項４０】
上記電極からの信号に基づいて体脂肪率又は脈拍数を計算するためのプロセッサを更に備えた請求項３１ないし３９に記載の携帯型生体電気インピーダンス測定装置。
【手続補正２】
【補正対象書類名】明細書
【補正対象項目名】０００７
【補正方法】変更
【補正の内容】
【０００７】
本発明によれば、上記及び他の効果は、メインボディーと、メインボディーの前面に設けられた第１対の電極と、メインボディーの前面とは逆の湾曲した背面に設けられた第２対の電極と、その前面に設けられた表示部及び操作部とを備えた携帯型生体電気インピーダンス測定装置により、その一部が達成される。この装置は、片方の手のひらに保持されるに充分なほど小さいが、メインボディーの前面に設けられた電極に他方の手の指で接触する。従って、ユーザは、装置を容易に且つ安定した状態で保持することができ、高い測定精度が得られることになる。
【手続補正３】
【補正対象書類名】明細書
【補正対象項目名】０００９
【補正方法】変更
【補正の内容】
【０００９】
本発明の更に別の特徴は、メインボディーと、メインボディーの一対の湾曲した両側面に設けられた２対の電極と、メインボディーの前面に設けられた表示部及び操作部とを備えた携帯型生体電気インピーダンス測定装置にある。この装置は、片手の手のひらに保持されるサイズである。装置を片手で保持する間に、生体電気インピーダンスが４つの電極により正確に測定されて、体脂肪率、脈拍数、血圧等が監視される。
【手続補正４】
【補正対象書類名】明細書
【補正対象項目名】００１６
【補正方法】変更
【補正の内容】
【００１６】
ステップ２では、セットスイッチ２が押されたかどうか判断される。押されていない場合は、ステップ３へ進む。体脂肪率及び体脂肪量は、既知の手順に基づいて測定され、測定結果（制御部１０で行なわれた）が表示部５に表示される。ステップ４では、自動電源オフタイマーがチェックされる。タイマーが時間切れを指示しない場合には、ステップ２へ戻り、ステップ３において測定結果が表示されたままとなる。タイマーが時間切れを指示する場合には、ステップ５において電源がオフにされる。
【手続補正５】
【補正対象書類名】明細書
【補正対象項目名】００１７
【補正方法】変更
【補正の内容】
【００１７】
体脂肪表示モードにおいて、セットスイッチ２を押した場合には、ステップ２で肯定の判断がなされ、そしてステップ６で否定の判断がなされる。ステップ７において、体脂肪の再測定モードが確立される。再測定モードが確立されると、既知の手順に基づき体脂肪率及び体脂肪量を測定するため、測定者の性別、年齢、身長及び体重が入力される。データは、メモリ１４に記憶される。次いで、ステップ３に進み、体脂肪率及び体脂肪量が測定されて表示される。再測定モードにおいて、セットスイッチ２を押した場合には、ステップ６で肯定の判断がなされる。次いで、ステップ８に進む。ステップ８では、否定の判断がなされる。次いで、ステップ９に進み、血圧が測定されて表示される。血圧を測定する場合、電極Ａ、Ｂ、Ｃ及びＤを使用して、心電図波形が検出される。光電センサ６に指先を触れると、心拍波形が検出される。心電図波形からの心拍波形の時間遅れに基づく計算により血圧が測定される。